(57)【要約】  本発明は、第１のチューナブルＲＸバンドパスフィルタ（９）と第１のチューナブルＴＸバンドパスフィルタ（１０）とを備えた第１のチューナブルデュプレクサ（５）を備えるフロントエンド回路（１）に関し、この第１のチューナブルデュプレクサ（５）は、第１のＦＤＤ周波数バンドにおける第１のＦＤＤモード、および第１のＴＤＤ周波数バンドにおける第１のＴＤＤモードをサポートするように構成されている。さらに、本発明はこのフロントエンド回路の動作の方法に関する。【選択図】  図１
2017503401.tif 000002
【特許請求の範囲】
【請求項１】
第１のチューナブルＲＸバンドパスフィルタ（９）および第１のチューナブルＴＸバンドパスフィルタ（１０）を備えた第１のチューナブルデュプレクサ（５）を備えるフロントエンド回路（１）であって、
前記第１のチューナブルデュプレクサ（５）は、第１のＦＤＤ周波数バンドにおける第１のＦＤＤモード、および第１のＴＤＤ周波数バンドにおける第１のＴＤＤモードをサポートするように構成されていることを特徴とするフロントエンド回路。
【請求項２】
前記第１のＴＤＤモードにおいて、前記第１のチューナブルデュプレクサ（５）がＴＸ設定とＲＸ設定との間で交替するように構成されていることを特徴とする、請求項１に記載のフロントエンド回路。
【請求項３】
前記ＲＸ設定において、前記第１のチューナブルＲＸバンドパスフィルタ（９）は、前記第１のＴＤＤ周波数バンドに対して最適化されており、かつ
前記第１のチューナブルＴＸバンドパスフィルタ（１０）は、前記第１のＴＤＤ周波数バンドにおける通過バンドを有しないように、デチューニングされていることを特徴とする、請求項２に記載のフロントエンド回路。
【請求項４】
前記ＴＸ設定において、前記第１のチューナブルＴＸバンドパスフィルタ（１０）は、前記第１のＴＤＤ周波数バンドに対して最適化されており、かつ
前記第１のチューナブルＲＸバンドパスフィルタ（９）は、前記第１のＴＤＤ周波数バンドにおける通過バンドを有しないように、デチューニングされている、
ことを特徴とする、請求項２または３に記載のフロントエンド回路。
【請求項５】
前記第１のチューナブルデュプレクサ（５）は、前記第１のＦＤＤモードにおいて、前記第１のチューナブルＲＸバンドパスフィルタ（９）および前記第１のチューナブルＴＸバンドパスフィルタが前記第１のＦＤＤ周波数バンドに対し最適化されるように構成されていることを特徴とする、請求項１乃至４のいずれか１項に記載のフロントエンド回路。
【請求項６】
前記第１のチューナブルデュプレクサ（５）は、第２のＦＤＤ周波数バンドにおいて少なくとも第２のＦＤＤモードをサポートするように構成されていることを特徴とする、請求項１乃至５のいずれか１項に記載のフロントエンド回路。
【請求項７】
前記第１のチューナブルデュプレクサ（５）は、第２のＴＤＤ周波数バンドにおいて少なくとも第２のＴＤＤモードをサポートするように構成されていることを特徴とする、請求項１乃至６のいずれか１項に記載のフロントエンド回路。
【請求項８】
請求項１乃至７のいずれか１項に記載のフロントエンド回路（１）において、
第２のチューナブルＲＸバンドパスフィルタ（１３）および第２のチューナブルＴＸバンドパスフィルタ（１５）を備えた、第２のチューナブルデュプレクサ（６）をさらに備え、
前記フロントエンド回路（１）は、ＴＤＤインターバンドキャリアアグリゲーションモードをサポートするように構成されており、信号が前記第１のＴＤＤ周波数バンドおよびアグリゲーションされたＴＤＤ周波数バンドにおいて同時に受信され、かつ
前記第２のチューナブルＲＸバンドパスフィルタ（１３）は、前記ＴＤＤインターバンドキャリアアグリゲーションモードにおける前記アグリゲーションされたＴＤＤ周波数バンドに対して最適化されている、
ことを特徴とするフロントエンド回路。
【請求項９】
前記ＴＤＤインターバンドキャリアアグリゲーションモードにおいて、前記第１のチューナブルＲＸバンドパスフィルタ（９）および前記第１のチューナブルＴＸバンドパスフィルタ（１０）の１つが前記第１のＴＤＤ周波数バンドに対し最適化されており、かつ前記第１のチューナブルＲＸバンドパスフィルタ（９）および前記第１のチューナブルＴＸバンドパスフィルタ（１０）の他の１つが、前記第１のＴＤＤ周波数バンドにおける通過バンドを有しないように、デチューニングされている、ことを特徴とする、請求項８に記載のフロントエンド回路。
【請求項１０】
フロントエンド回路（１）の動作の方法であって、
前記フロントエンド回路（１）は、第１のチューナブルＲＸバンドパスフィルタ（９）および第１のチューナブルＴＸバンドパスフィルタ（１０）を備えた第１のチューナブルデュプレクサ（５）を備え、
前記方法は、
動作のモードを決定するステップと、
もし前記動作のモードが第１のＦＤＤ周波数バンドにおける第１のＦＤＤモードである場合、前記第１のチューナブルＲＸバンドパスフィルタ（９）および前記第１のチューナブルＴＸバンドパスフィルタ（１０）を前記第１のＦＤＤ周波数バンドにチューニングするステップと、
もし前記動作のモードが第１のＴＤＤ周波数バンドにおける第１のＴＤＤモードである場合、前記第１のチューナブルＲＸバンドパスフィルタ（９）および前記第１のチューナブルＴＸバンドパスフィルタ（１０）の１つを前記第１のＴＤＤ周波数バンドにチューニングし、かつ前記第１のチューナブルＲＸバンドパスフィルタ（９）および前記第１のチューナブルＴＸバンドパスフィルタ（１０）の他の１つを前記第１のＴＤＤ周波数バンドから離間させ、前記第１のＴＤＤ周波数バンドにおける通過バンドを有しないように、デチューニングするステップと、
を備えることを特徴とする方法。
【請求項１１】
請求項１０に記載の方法において、
もし前記動作のモードが第１のＴＤＤ周波数バンドにおける第１のＴＤＤモードである場合、当該第１のＴＤＤモードのＴＸモードにおける信号を送信するために、前記方法は、
前記第１のチューナブルＴＸバンドパスフィルタ（１０）を前記第１のＴＤＤ周波数バンドにチューニングし、前記チューナブルＲＸバンドパスフィルタ（９）を前記第１のＴＤＤ周波数バンドから離間させ、当該第１のＴＤＤ周波数バンドにおける通過バンドを有しないようにデチューニングするステップを備え、
前記第１のＴＤＤモードのＲＸモードにおける信号を受信するために、前記方法は、
前記第１のチューナブルＲＸバンドパスフィルタ（９）を前記第１のＴＤＤ周波数バンドにチューニングし、前記チューナブルＴＸバンドパスフィルタ（１０）を前記第１のＴＤＤ周波数バンドから離間させ、前記第１のＴＤＤ周波数バンドにおける通過バンドを有しないようにデチューニングするステップを備える、
ことを特徴とする方法。
【請求項１２】
もし前記動作のモードが第２のＦＤＤ周波数バンドにおける第２のＦＤＤモードである場合、信号を送信および受信するために、前記方法は、
前記第１のチューナブルＲＸバンドパスフィルタ（９）および前記第１のチューナブルＴＸバンドパスフィルタ（１０）を前記第２のＦＤＤ周波数バンドにチューニングするステップを備えることを特徴とする、請求項１０または１１に記載の方法。
【請求項１３】
もし前記動作のモードが第２のＴＤＤ周波数バンドにおける第２のＴＤＤモードであって、信号を送信および受信する場合、前記方法は、
前記第１のチューナブルＲＸバンドパスフィルタ（９）および前記第１のチューナブルＴＸバンドパスフィルタ（１０）の１つを前記第２のＴＤＤ周波数バンドにチューニングし、前記第１のチューナブルＲＸバンドパスフィルタ（９）および前記第１のチューナブルＴＸバンドパスフィルタ（１０）の他の１つを前記第２のＴＤＤ周波数バンドから離間させ、前記第２のＴＤＤ周波数バンドにおける通過バンドを有しないように、デチューニングするステップを備えることを特徴とする、請求項１０乃至１２のいずれか１項に記載の方法。
【請求項１４】
請求項１０乃至１３のいずれか１項に記載の方法において、
さらに前記フロンドエンド回路（１）は、第２のチューナブルＲＸバンドパスフィルタ（１３）および第２のチューナブルＴＸバンドパスフィルタ（１５）を備えた第２のチューナブルデュプレクサ（６）を備え、
前記方法は、
もし前記動作のモードがＴＤＤインターバンドアグリゲーションモードであって、信号が同時に前記第１のＴＤＤ周波数バンドおよびアグリゲーションされたＴＤＤ周波数バンドで受信される場合、前記第２のチューナブルＲＸバンドパスフィルタ（１３）を当該アグリゲーションされたＴＤＤ周波数バンドにチューニングするステップと、
前記第１のチューナブルＲＸバンドパスフィルタ（９）および前記第１のＴＸバンドパスフィルタ（１０）の１つを前記第１のＴＤＤ周波数バンドにチューニングするステップと、
前記第１のチューナブルＲＸバンドパスフィルタ（９）および前記第１のチューナブルＴＸバンドパスフィルタ（１０）の他の１つをこの第１のＴＤＤ周波数バンドから離間させ、前記第１のＴＤＤ周波数バンドにおける通過バンドを有しないように、デチューニングするステップと、
を備えることを特徴とする方法。
【発明の詳細な説明】
【技術分野】
【０００１】
本発明はフロントエンド回路およびフロントエンド回路の動作の方法に関する。  このフロントエンド回路は、たとえば携帯電話に用いられ得る。
【背景技術】
【０００２】
今日の携帯電話は、ユーザの地理的位置に拘わらず、高速データ伝送にアクセスすることができるように、通常ＴＤＤ（time division duplexing）およびＦＤＤ（frequency division duplexing）を異なる周波数バンドでサポートしている。異なる国では異なる周波数バンドが携帯電話用に割り当てられている。異なるバンドをサポートし、ＴＤＤおよびＦＤＤ双方のタイプのシステムをサポートするために、携帯電話のフロンエンド回路は非常に複雑となる。典型的なアーキテクチャは、多数のフィルタおよびスイッチを必要とする。
【発明の概要】
【発明が解決しようとする課題】
【０００３】
本発明の課題は、異なる周波数バンドにおける異なる動作モードをサポートする、部品数が低減されたフロントエンド回路を提供することである。
【課題を解決するための手段】
【０００４】
上記の課題は、請求項１に記載のフロントエンド回路によって解決される。さらに第２の独立請求項は、フロントエンド回路の最適化された動作のための方法を提供するという課題を解決する。
【０００５】
本発明の第１の態様によれば、第１のチューナブルＲＸバンドパスフィルタと第１のチューナブルＴＸバンドパスフィルタとを備えた第１のチューナブルデュプレクサを備えるフロントエンド回路が提供され、当該第１のチューナブルデュプレクサは、第１のＦＤＤ周波数バンドにおける第１のＦＤＤモード、および第１のＴＤＤ周波数バンドにおける第１のＴＤＤモードをサポートするように構成されている。
【０００６】
複数の同じフィルタ、すなわち第１のチューナブルＲＸバンドパスフィルタおよび第１のチューナブルＴＸバンドパスフィルタが、ＦＤＤ方式のデュプレキシングおよびＴＤＤ方式のデュプレキシング両方をサポートするために用いられている。一般的にＴＤＤデュプレキシングに必要なスイッチ（複数）は、本発明によるフロントエンド回路には必要でない。具体的には、ＴＤＤモードにおいては、上記の第１のチューナブルデュプレクサは、ＴＤＤ信号のＲＸ／ＴＸの切替タイミングに依存して、ＲＸバンドパスフィルタとして、またＴＸバンドパスフィルタとして用いられ得るようにチューニングすることができる。
【０００７】
チューナブルバンドパスフィルタは、その通過バンドが変更されるようにチューニングまたは再構成可能なフィルタとして規定される。具体的には、このチューナブルバンドパスフィルタは、異なる周波数バンドに対し最適化されてよい。こうしてこのチューナブルバンドパスフィルタは、複数の周波数バンドにおける動作を可能とするように構成されており、この際このフィルタは、どの時間においてもこれらの周波数バンドの１つにチューニングされている。
【０００８】
このチューナブルバンドパスフィルタは、可変なディスクリート素子、たとえば可変コンデンサおよび／または可変インダクタンスを備えてよい。追加的にまたは代替として、このチューナブルバンドパスフィルタは、少なくとも１つのチューナブルな音響素子を備える。
【０００９】
上記の第１のＴＤＤ周波数バンドは、上記の第１のＦＤＤ周波数バンドと重なっていてよい。具体的には、この第１のＴＤＤ周波数バンドは、上記の第１のＦＤＤ周波数バンドと同一であってよい。しかしながら、またこの第１のＴＤＤ周波数バンドは、この第１のＦＤＤ周波数バンドとは異なっていてもよい。
【００１０】
これらの第１のＦＤＤ周波数バンドおよび第１のＴＤＤ周波数バンドの各々は、携帯電話に用いられるＬＴＥ規格または他の周波数規格で規定される周波数バンドであってよい。
【００１１】
上記の第１のチューナブルデュプレクサは、上記の第１のＴＤＤモードにおいて、この第１のチューナブルデュプレクサがＴＸ設定とＲＸ設定との間で交替するように構成されている。
【００１２】
さらに、上記の第１のＴＤＤモードは、ＴＸモードおよびＲＸモードを有してもよい。上記の第１のチューナブルデュプレクサは、上記の第１のＴＤＤモードのＴＸモードにおいて、そのＴＸ設定に切り替わるように構成されていてよい。さらにこの第１のチューナブルデュプレクサは、上記の第１のＴＤＤモードのＲＸモードにおいて、そのＴＸ設定に切り替わるように構成されていてよい。
【００１３】
具体的には、上記の第１のＴＤＤモードにおいて、上記の第１のチューナブルＲＸバンドパスフィルタおよび第１のチューナブルＴＸバンドパスフィルタの１つが上記の第１のＴＤＤ周波数バンドに対し最適化されていてよく、かつ上記の第１のチューナブルＲＸバンドパスフィルタおよび第１のチューナブルＴＸバンドパスフィルタの他の１つが、上記の第１のＴＤＤ周波数バンドにおける通過バンドを有しないように、デチューニングされていてよい。
【００１４】
上記のＴＸモードにおいては、上記のデュプレクサは、上記の第１のＴＤＤ周波数バンドにおける信号を送信してよい。こうして上記の第１のＴＤＤモードのＴＸモードにおいて、上記の第１のチューナブルＴＸバンドパスフィルタが、上記の第１のＴＤＤ周波数バンドに対して最適化されていてよく、かつ上記の第１のチューナブルＲＸバンドパスフィルタが、上記の第１のＴＤＤモードのＲＸモードにおいて、上記の第１のＴＤＤ周波数バンドにおける通過バンドを有しないように、デチューニングされていてよい。このデュプレクサの設定は、ＴＸ設定とも呼ばれている。
【００１５】
上記のＲＸモードにおいては、上記のデュプレクサは、同じ周波数バンドにおける信号を受信するように構成されている。上記の第１のチューナブルＲＸバンドパスフィルタは、上記の第１のＴＤＤモードのＲＸモードにおける第１のＴＤＤ周波数バンドに対して最適化されていてよく、かつ上記の第１のチューナブルＴＸバンドパスフィルタが、上記の第１のＴＤＤモードのＲＸモードにおいて、上記の第１のＴＤＤ周波数バンドにおける通過バンドを有しないように、デチューニングされていてよい。このデュプレクサの設定は、ＲＸ設定とも呼ばれている。
【００１６】
さらに上記の第１のチューナブルデュプレクサは、上記の第１のチューナブルＴＸバンドパスフィルタおよび上記の第１のチューナブルＲＸバンドパスフィルタが絶対に同じ通過バンドに同時にチューニングされないように構成されていてよい。  これによって、ＴＸ経路における大きな信号が、第１のチューナブルＲＸバンドパスフィルタを通り、この第１のチューナブルＲＸバンドパスフィルタに接続され得るＲＸ回路の素子を損傷することが避けられる。
【００１７】
さらに、上記の第１のチューナブルデュプレクサは、上記の第１のＦＤＤモードにおいて、上記の第１のチューナブルＲＸバンドパスフィルタおよび上記の第１のチューナブルＴＸバンドパスフィルタが上記の第１のＦＤＤ周波数バンドに対し最適化されるように構成されていてよい。
【００１８】
さらに、上記の第１のチューナブルデュプレクサは、第２のＦＤＤ周波数バンドにおいて少なくとも第２のＦＤＤモードをサポートするように構成されていてよい。具体的には、この第２のＦＤＤ周波数バンドは、上記の第１のＦＤＤ周波数バンドと異なっていてよい。この第２のＦＤＤ周波数バンドは、ＬＴＥ規格に対応して規定された周波数バンドであってよく、または携帯電話に共通な他の周波数規格に対応して規定された周波数バンドであってよい。
【００１９】
上記のチューナブルＲＸバンドパスフィルタおよび上記のチューナブルＴＸバンドパスフィルタは、これらが上記の第１または第２のＦＤＤ周波数バンドの１つに対して最適化され得るように構成されている。さらに上記のチューナブルデュプレクサは、さらなるＦＤＤ周波数バンドにおけるＦＤＤデュプレキシングをサポートしてもよい。
【００２０】
上記の第１のチューナブルデュプレクサは、第２のＴＤＤ周波数バンドにおいて少なくとも第２のＴＤＤモードをサポートするように構成されていてよい。この第２のＴＤＤ周波数バンドは、上記の第２のＦＤＤ周波数バンドと重なっていてよい。しかしながら、またこの第２のＴＤＤ周波数バンドは、この第２のＦＤＤ周波数バンドとは異なっていてもよい。この第２のＴＤＤ周波数は上記の第１のＴＤＤ周波数バンドと異なっている。具体的には、上記の第１のチューナブルデュプレクサは、異なるＴＤＤ周波数バンドを有する、異なるＴＤＤモードをサポートするように構成されており、ここで一度には１つのＴＤＤモードがサポートされている。
【００２１】
第２のＴＤＤモードにおいては、上記の第１のデュプレクサは、ＴＸ設定とＲＸ設定との間で交替するように構成されていてもよい。ここで上記のＴＸ設定において、上記の第１のチューナブルＴＸバンドパスフィルタが、上記の第２のＴＤＤ周波数バンドに対して最適化されていてよく、かつ上記の第１のチューナブルＲＸバンドパスフィルタが、上記の第２のＴＤＤ周波数バンドにおける通過バンドを有しないように、デチューニングされていてよい。これに対応して、上記のＲＸ設定において、上記の第１のチューナブルＲＸバンドパスフィルタが、上記の第２のＴＤＤ周波数バンドに対して最適化されていてよく、かつ上記の第１のチューナブルＴＸバンドパスフィルタが、上記の第２のＴＤＤ周波数バンドにおける通過バンドを有しないように、デチューニングされていてよい。
【００２２】
１つの実施形態においては、本発明によるフロントエンド回路は、さらに第２のチューナブルＲＸバンドパスフィルタおよび第２のチューナブルＴＸバンドパスフィルタを備えてよく、ここで当該フロントエンド回路は、ＴＤＤインターバンドキャリアアグリゲーションモードをサポートするように構成されており、ここで信号が上記の第１のＴＤＤ周波数バンドおよびアグリゲーションされたＴＤＤ周波数バンドにおいて同時に受信され、ここで当該第２のチューナブルＲＸバンドパスフィルタは、当該ＴＤＤインターバンドキャリアアグリゲーションモードにおける当該アグリゲーションされたＴＤＤ周波数バンドに対して最適化されている。
【００２３】
こうして本発明によるフロントエンド回路は、ＴＤＤインターバンドキャリアアグリゲーションを最小の数の部品でサポートすることができる。さらに、同じフロントエンド回路がＦＤＤキャリアバンドアグリゲーションに用いられてよい。ＦＤＤキャリアバンドアグリゲーションにおいては、信号は、第１のＦＤＤ周波数バンドおよびアグリゲーションされた周波数バンドにおいて同時に受信される。
【００２４】
さらに、上記のＴＤＤインターバンドキャリアアグリゲーションモードにおいて、上記の第１のチューナブルＲＸバンドパスフィルタおよび第１のチューナブルＴＸバンドパスフィルタの１つが上記の第１のＴＤＤ周波数バンドに対し最適化されていてよく、かつ上記の第１のチューナブルＲＸバンドパスフィルタおよび第１のチューナブルＴＸバンドパスフィルタの他の１つが、上記の第１のＴＤＤ周波数バンドにおける通過バンドを有しないように、デチューニングされていてよい。
【００２５】
第２の態様によれば、本発明は、フロントエンド回路を動作の方法に関し、当該フロントエンド回路は、第１のチューナブルＲＸバンドパスフィルタおよび第１のチューナブルＴＸバンドパスフィルタを備えたチューナブルデュプレクサを備え、当該方法は以下のステップを備える。
−  動作のモードを決定するステップ。
−  もしこの動作のモードが第１のＦＤＤ周波数バンドにおける第１のＦＤＤモードである場合、上記の第１のチューナブルＲＸバンドパスフィルタおよび上記の第１のチューナブルＴＸバンドパスフィルタを上記の第１のＦＤＤ周波数バンドにチューニングするステップ。
−  もしこの動作のモードが第１のＴＤＤ周波数バンドにおける第１のＴＤＤモードである場合、上記の第１のチューナブルＲＸバンドパスフィルタおよび第１のチューナブルＴＸバンドパスフィルタの１つを上記の第１のＴＤＤ周波数バンドにチューニングし、かつ上記の第１のチューナブルＲＸバンドパスフィルタおよび第１のチューナブルＴＸバンドパスフィルタの他の１つを上記の第１のＴＤＤ周波数バンドから離間させ、上記の第１のＴＤＤ周波数バンドにおける通過バンドを有しないように、デチューニングするステップ。
【００２６】
具体的には、上記の第１のＴＤＤ周波数バンドにおけるＴＸモードにおいては、上記の第１のチューナブルＴＸバンドパスフィルタは、上記の第１のＴＤＤ周波数バンドにチューニングされ、かつ上記の第１のチューナブルＲＸバンドパスフィルタはデチューニングされる。上記の第１のＴＤＤ周波数バンドのＲＸモードにおいては、上記の第１のチューナブルＲＸバンドパスフィルタは、上記の第１のＴＤＤ周波数バンドにチューニングされ、かつ上記の第１のチューナブルＴＸバンドパスフィルタはデチューニングされる。
【００２７】
具体的には、本方法は本願請求項１に記載のフロントエンド回路または上述の好ましい実施形態の１つのフロントエンド回路の動作のために用いられてよい。したがって上記のフロントエンド回路について開示された全ての構造的および機能的特徴は、本方法にも適用されてよく、あるいはこの逆であってよい。
【００２８】
本方法は、異なる周波数領域におけるＦＤＤおよびＴＤＤモードの動作のために最低減の数のフィルタのみが必要とされるという利点を有する。
【００２９】
もし動作のモードが第１のＴＤＤ周波数バンドにおける第１のＴＤＤモードである場合、この第１のＴＤＤモードのＴＸモードにおける信号を送信するために、本方法は、上記の第１のチューナブルＴＸバンドパスフィルタを上記の第１のＴＤＤ周波数バンドにチューニングし、上記のチューナブルＲＸバンドパスフィルタをこの第１のＴＤＤ周波数バンドから離間させ、この第１のＴＤＤ周波数バンドにおける通過バンドを有しないようにデチューニングするステップを備えてよい。さらにこの第１のＴＤＤモードのＲＸモードにおける信号を受信するために、本方法は上記の第１のチューナブルＲＸバンドパスフィルタを上記の第１のＴＤＤ周波数バンドにチューニングし、上記のチューナブルＴＸバンドパスフィルタをこの第１のＴＤＤ周波数バンドから離間させ、この第１のＴＤＤ周波数バンドにおける通過バンドを有しないようにデチューニングするステップを備えてよい。
【００３０】
もし動作のモードが第２のＦＤＤ周波数バンドにおける第２のＦＤＤモードである場合、信号を送信および受信するために、本方法は上記の第１のチューナブルＲＸバンドパスフィルタおよび上記の第１のチューナブルＴＸバンドパスフィルタをこの第２のＦＤＤ周波数バンドにチューニングするステップを備えてよい。
【００３１】
もしこの動作のモードが第２のＴＤＤ周波数バンドにおける第２のＴＤＤモードである場合、信号を送信および受信するために、本方法は、上記の第１のチューナブルＲＸバンドパスフィルタおよび上記の第１のチューナブルＴＸバンドパスフィルタの１つを上記の第２のＴＤＤ周波数バンドにチューニングし、上記の第１のチューナブルＲＸバンドパスフィルタおよび上記の第１のチューナブルＴＸバンドパスフィルタの他の１つをこの第２のＴＤＤ周波数バンドから離間させ、この第２のＴＤＤ周波数バンドにおける通過バンドを有しないように、デチューニングするステップを備えてよい。
【００３２】
具体的には、上記の第２のＴＤＤモードにおいては、本方法は、上記の第１のチューナブルＴＸフィルタおよび上記の第１のチューナブルＲＸフィルタが絶対に同じ通過バンドに同時にチューニングされないように構成されていてよい。
【００３３】
さらに上記のフロンドエンド回路は、第２のチューナブルＲＸバンドパスフィルタおよび第２のチューナブルＴＸバンドパスフィルタを備えた第２のチューナブルデュプレクサを備えてよい。  もしこの動作のモードがＴＤＤインターバンドアグリゲーションモードであって、信号が同時に上記の第１のＴＤＤ周波数バンドおよびアグリゲーションされたＴＤＤ周波数バンドで受信される場合は、本方法は、上記の第２のチューナブルＲＸバンドパスフィルタをこのアグリゲーションされたＴＤＤ周波数バンドにチューニングするステップと、上記の第１のチューナブルＲＸバンドパスフィルタおよび上記の第１のＴＸバンドパスフィルタの１つを上記の第１のＴＤＤ周波数バンドにチューニングするステップと、上記の第１のチューナブルＲＸバンドパスフィルタおよび上記の第１のチューナブルＴＸバンドパスフィルタの他の１つをこの第１のＴＤＤ周波数バンドから離間させ、この第１のＴＤＤ周波数バンドにおける通過バンドを有しないように、デチューニングするステップとを備えてよい。
【００３４】
以下では図を参照して本発明をさらに詳細に説明する。
【図面の簡単な説明】
【００３５】
【図１】フロントエンド回路の第１の実施形態を示す。
【図２】チューナブルフィルタの接続形態を簡略に示す。
【図３】フロントエンド回路の第２の実施形態を示す。
【図４】ＦＤＤ設定におけるフロントエンド回路の周波数特性を示す。
【図５】ＴＤＤ設定のＴＸモードにおけるフロントエンド回路の周波数特性を示す。
【図６】ＴＤＤ設定のＲＸモードにおけるフロントエンド回路の周波数特性を示す。
【図７】フロントエンド回路の第３の実施形態を示す。
【００３６】
図１は、フロントエンド回路１の第１の実施形態を示す。フロントエンド回路１は、第１のアンテナ３に接続されているアンテナポート２を備える。このフロントエンド回路１は、異なる周波数バンドで信号を送信および受信するために構成されている。
【００３７】
フロントエンド回路１は、ダイプレクサ４，第１のチューナブルデュプレクサ５，および第２のチューナブルデュプレクサ６を備える。ダイプレクサ４は、ハイパスフィルタ７およびローパスフィルタ８を備える。ダイプレクサ４は、アンテナポート２に直に接続されている。
【００３８】
ダイプレクサ４は、受信した信号のおおまかな分離を行う。このダイプレクサ４のハイパスフィルタ７は、１．７〜２．７ＧＨｚの周波数を有する信号を通過し得るように構成されている。代替として、このダイプレクサ４のハイパスフィルタ７は、１．７〜２．２ＧＨｚの領域の周波数またはこの周波数を有する信号を通過し得るように構成されている。具体的には、このハイパスフィルタ７は、１５００ＭＨｚのカットオフ周波数を有してよく、こうしてこの周波数より低い周波数を有する信号は、このハイパスフィルタによって減衰され、このカットオフ周波数より高い周波数を有する信号は顕著に減衰されることなくこのハイパスフィルタ７を通過する。たとえば、このハイパスフィルタ７は、ＬＴＥ周波数バンドＩ，ＩＩＩ，ＩＶ，およびＶＩＩにおける信号を通過させることができる。
【００３９】
さらにローパスフィルタ８は、１ＧＨｚ領域の近傍の周波数を有する信号を通過し得るように構成されている。具体的には、このローパスフィルタ８は、１０００ＭＨｚのカットオフ周波数を有してよく、こうしてこの周波数より高い周波数を有する信号は、このローパスフィルタ８によって減衰され、このカットオフ周波数より低い周波数を有する信号は顕著に減衰されることなくこのローパスフィルタ８を通過する。たとえば、このローパスフィルタ8は、ＬＴＥ周波数バンドＶ，ＶＩＩＩ，ＸＩＩ，ＸＩＩＩ，ＸＶＩＩ，およびＸＸにおける信号を通過させることができる。
【００４０】
ハイパスフィルタ７は、第１のチューナブルデュプレクサ５に接続されている。この第１のチューナブルデュプレクサ５は、第１のチューナブルＲＸバンドパスフィルタ９および第１のチューナブルＴＸバンドパスフィルタ１０を備える。第１のチューナブルＲＸバンドパスフィルタ９は、第１のＲＸ信号経路１１に接続されている。さらに、第１のチューナブルＴＸバンドパスフィルタ１０は、第１のＴＸ信号経路１２に接続されている。
【００４１】
第１のチューナブルＲＸバンドパスフィルタ９および第１のチューナブルＴＸバンドパスフィルタは、これらのそれぞれの通過バンドが変更できるように構成されている。具体的には、第１のチューナブルＲＸバンドパスフィルタ９および第１のチューナブルＴＸバンドパスフィルタ１０は、これらのそれぞれの通過バンドが異なる周波数バンドに対して最適化され得るように構成されている。このため、第１のチューナブルＲＸバンドパスフィルタ９および第１のチューナブルＴＸバンドパスフィルタ１０の各々は、少なくとも１つのチューナブル素子、たとえば可変コンデンサを備える。
【００４２】
フロントエンド回路１が１．７〜２．７ＧＨｚ領域または１．７〜２．２ＧＨｚ領域における特定の周波数で動作している場合、第１のチューナブルデュプレクサ５はこの周波数バンドに対して最適化されていてよい。具体的には、ＦＤＤモードにおいては、この特定の周波数バンドは、特定のＲＸ通過バンドおよび特定のＴＸ通過バンドを有する。
【００４３】
第１のチューナブルデュプレクサ５は、この動作のモードにおいて、第１のチューナブルＲＸバンドパスフィルタ９が、上記の特定のＲＸ通過バンドに対して最適化されるようにチューニングされ、かつ上記の第１のチューナブルＴＸバンドパスフィルタ１０が、上記の特定のＴＸ通過バンドに対して最適化されるようにチューニングされている。こうして第１のチューナブルデュプレクサ５を、上記の特定の周波数バンドにおける周波数を有する信号がこの第１のチューナブルデュプレクサ５で減衰されないように、他方でこれらの特定の周波数バンド以外の周波数を有する信号がこの第１のチューナブルデュプレクサ５によって抑圧されるように、チューニングすることができる。
【００４４】
具体的には、第１のチューナブルＲＸバンドパスフィルタ９および第１のチューナブルＴＸバンドパスフィルタ１０は、ダイプレクサ４のハイパスフィルタ７の通過バンドにおける各々の周波数バンドに対して最適化されていてよい。
【００４５】
さらに、このダイプレクサ４のローパスフィルタ８は、第２のチューナブルデュプレクサ６に接続されている。この第２のチューナブルデュプレクサ６は、第２のＲＸ信号経路１４に接続されている第２のチューナブルＲＸバンドパスフィルタ１３と、第２のＴＸ信号経路１６に接続されている第２のチューナブルＴＸバンドパスフィルタ１５とを備える。第２のチューナブルＲＸバンドパスフィルタ１３および第２のチューナブルＴＸバンドパスフィルタ１５は、１ＧＨｚ領域の近傍における異なる周波数バンドに対して最適化されるように構成されている。具体的には、第２のチューナブルＲＸバンドパスフィルタ１３および第２のチューナブルＴＸバンドパスフィルタ１５は、ダイプレクサ４のローパスフィルタ８の通過バンドにおける各々の周波数バンドに対して最適化されていてよい。
【００４６】
こうして第１のチューナブルデュプレクサ５が、ハイパスフィルタ７の通過バンドにおける各々の周波数バンドに対して最適化され、そして第２のチューナブルデュプレクサ６が、ローパスフィルタ８の通過バンドにおける各々の周波数バンドに対して最適化されるので、これらの２つのチューナブルデュプレクサ５，６のみを備えるフロントエンド回路１は、非常に多くの数の周波数バンドにおける送信および受信を可能とする。
【００４７】
１つの代替の実施形態においては、フロントエンド回路１は、１つのチューナブルＲＸバンドパスフィルタと１つのチューナブルＴＸバンドパスフィルタとを備える、ただ１つのチューナブルデュプレクサを備え、これらのフィルタは１ＧＨｚ領域と１．７〜２．７ＧＨｚ領域または１．７〜２．２ＧＨｚ領域とにおける如何なる周波数バンドに対してもチューニングされ得るように調整可能である。この実施形態においては、このチューナブルデュプレクサは、如何なるＬＴＥ周波数バンドに対しても最適化され得るように構成されている。
【００４８】
フロントエンド回路１は、異なるタイプのモードをサポートする。上述したように、フロントエンド回路１は、ＦＤＤデュプレキシングをサポートする。このＦＤＤモードにおいては、フロントエンド回路１は、ＴＸ信号の送信とＲＸ信号の受信とを同時に行う。特定のＦＤＤ周波数バンドに対しては、このＴＸ信号は特定のＴＸ周波数バンドにおける周波数を備え、そしてこのＲＸ信号は特定のＲＸ周波数バンドにおける周波数を備え、この特定のＲＸ周波数バンドはこの特定のＴＸ周波数バンドとは異なっている。
【００４９】
上記のハイパスフィルタ７の通過バンドにおける特定の周波数バンドを用いるＦＤＤデュプレキシングモードにおいては、上記の第１のチューナブルＴＸバンドパスフィルタ１０がこの特定のＴＸ周波数バンドに対して最適化され、また上記の第１のチューナブルＲＸバンドパスフィルタ９がこの特定のＲＸ周波数バンドに対して最適化されるように、上記のチューナブルデュプレクサ５がチューニングされている。こうして信号が正しく処理される。この特定のＲＸ周波数バンドにおける周波数を有し、第１のアンテナ３で受信されるＲＸ信号は、ハイパスフィルタ７を通過し、そして第１のチューナブルＲＸバンドパスフィルタ９を通過して、第１のＲＸ信号経路１１にカップリングされる。第１のＴＸ信号経路１２にカップリングされた、上記の特定のＴＸ周波数バンドにおける周波数を有するＴＸ信号は、第１のチューナブルＴＸバンドパスフィルタ１０およびハイパスフィルタ７を通過して、第１のアンテナ３によって送信される。
【００５０】
例として、ＦＤＤモードにおける２，５００〜２，５７０ＭＨｚのＴＸバンドと、２，６２０〜２，６９０ＭＨｚのＲＸバンドを有するバンドＶＩＩで動作しているフロントエンド回路を考える。この場合は、ダイプレクサ４のハイパスフィルタ７に接続されている第１のチューナブルデュプレクサ５がアクティブとなっている。さらに、第１のチューナブルＴＸバンドパスフィルタ１０は、その通過バンドが、使用されている周波数バンドのＴＸバンドと重なるようにチューニングされる。すなわちこの第１のチューナブルＴＸバンドパスフィルタ１０は、この場合その通過バンドが２，５００〜２，５７０ＭＨｚとなるようにチューニングされる。さらに、第１のチューナブルＲＸフィルタ９は、その通過バンドが使用されている周波数バンドのＲＸバンドと重なるようにチューニングされる。すなわちこの第１のチューナブルＲＸフィルタ９は、その通過バンドが２，６２０〜２，６９０ＭＨｚとなるようにチューニングされる。代替として、第１のチューナブルＴＸフィルタ１０は、使用されているチャネルの中央にある通過バンドを有してもよい。
【００５１】
次にもしフロントエンド回路１が他の周波数バンド、たとえば、１，７１０〜１，７８５ＭＨｚのＴＸバンドと１，８０５〜１，８８０ＭＨｚのＲＸバンドとを有するバンドＩＩＩに変更される必要があっても、同じバンドパスフィルタ９，１０が使用される。この場合、第１のチューナブルＲＸバンドパスフィルタ９および第１のチューナブルＴＸバンドパスフィルタ１０は、これらがそれぞれ、使用されている周波数バンドのＲＸバンドおよびＴＸバンドに対して最適化されるようにチューニングされる。この場合、これらは、第１のチューナブルＴＸバンドパスフィルタ１０が１，７１０〜１，７８５ＭＨｚに通過バンドを有し、第１のチューナブルＲＸバンドパスフィルタ９が１，８０５〜１，８８０ＭＨｚに通過バンドを有するようにチューニングされる。
【００５２】
さらに同じチューナブルバンドパスフィルタ９をＴＤＤモードで利用することができる。ＴＤＤモードにおいては、フロントエンド回路１は、同じ周波数バンドで送信信号と受信信号とが交替する。本発明によるフロントエンド回路１は、異なる周波数バンドでのＴＤＤデュプレキシングをサポートすることができるようになっている。例として、ハイパスフィルタ７の通過バンドにある特定の周波数バンドにおける信号を送信するために、第１のチューナブルＴＸバンドパスフィルタ１０がこの特定の周波数バンドにチューニングされ、かつ第１のチューナブルＲＸバンドパスフィルタ９が、その通過バンドがこの特定の周波数バンドから離間するように、デチューニングされる。こうしてこの特定の周波数バンドにおける周波数を有する信号は、この第１のチューナブルＲＸバンドパスフィルタ９によって大きく減衰される。
【００５３】
同様に、ハイパスフィルタ７の通過バンドにある上記の特定の周波数バンドにおける信号を受信するために、第１のチューナブルＲＸバンドパスフィルタ９がこの特定の周波数バンドにチューニングされ、第１のチューナブルＴＸバンドパスフィルタ１０が、その通過バンドがこの特定の周波数バンドから離間するように、デチューニングされる。こうしてこの特定の周波数バンドにおける周波数を有する信号は、この第１のチューナブルＴＸバンドパスフィルタ１０によって大きく減衰される。
【００５４】
同様に、ローパスフィルタ８の通過バンドにある特定の周波数バンドにおける信号を送信および受信するために、第２のチューナブルＲＸバンドパスフィルタ１３および第２のチューナブルＴＸバンドパスフィルタ１５の１つがこの特定の周波数バンドにチューニングされ、これらのバンドパスフィルタ１３，１５の他の１つが、その通過バンドがこの特定の周波数バンドから離間するように、デチューニングされる。
【００５５】
例として、２５７０〜２６２０ＭＨｚの周波数に対応するバンド３８におけるＴＤＤデュプレキシングを考える。フロントエンド回路１がバンド３８において送信モードで動作している場合、第１のチューナブルＴＸバンドパスフィルタ１０は、その通過バンドを２，５７０〜２，６２０ＭＨｚに有するようにチューニングされ、第１のＴＸ信号経路１２から来る信号が第１のアンテナ３に結合することを可能とする。これと同時に、第１のチューナブルＲＸバンドパスフィルタ９が、２，５７０〜２，６２０ＭＨｚ付近に通過バンドを有しないようにデチューニングされ、むしろこの周波数バンドで大きな反射率を示す。
【００５６】
フロントエンド回路１がＴＤＤモードのＲＸモードにおける信号を受信している場合は、第１のチューナブルＴＸバンドパスフィルタ１０は、デチューニングされており、第１のチューナブルＲＸバンドパスフィルタ９は、その通過バンドを２，５７０〜２，６２０ＭＨｚに有するようにチューニングされ、第１のアンテナ３によって受信された信号が第１のＲＸ信号経路１１に結合されることを可能とする。
【００５７】
こうして本発明によるフロントエンド回路１は、ＦＤＤタイプおよびＴＤＤタイプの動作に両用されるチューナブルフィルタ９，１０，１３，１５を利用して、様々な周波数バンドにおけるＦＤＤモードおよびＴＤＤモード両方をサポートすることができる。
【００５８】
図１に示すフロントエンド回路１は、さらにＴＤＤモードのインターバンドキャリアアグリゲーションを、アグリゲーションされたバンドにおける同時ＲＸでサポートするように構成されている。このインターバンドキャリアアグリゲーションモードにおいては、信号は第１の周波数バンドにおいて受信され、また同時にアグリゲーションされた周波数バンドにおいて受信される。この第１の周波数バンドにおいて、ＴＸ信号の送信とＲＸ信号の受信とがこの第１の周波数バンドにおいて交替するように、ＴＤＤデュプレキシングが用いられる。アグリゲーションされた周波数バンドは、受信されるＲＸ信号用にのみ使用される。
【００５９】
このインターバンドキャリアアグリゲーションモードにおいては、本発明によるフロントエンド回路１は、第１および第２のチューナブルデュプレクサ５，６の内の１つが上記のＴＤＤデュプレキシングモードで動作されて、上記の第１の周波数バンドにおいて信号の送信と受信とが交替するように構成されている。
【００６０】
そこで例として、第１のチューナブルデュプレクサ５は、上記の第１の周波数バンドにおいて信号の送信と受信とが交替するように、上記のＴＤＤデュプレキシングモードで動作してよい。具体的には、この場合上記の第１のチューナブルＴＸバンドパスフィルタ１０および上記の第１のチューナブルＲＸバンドパスフィルタ９の内の１つが上記の第１の周波数バンドにチューニングされ、上記の第１のチューナブルＴＸバンドパスフィルタ１０および上記の第１のチューナブルＲＸバンドパスフィルタ９の内の他の１つが、その通過バンドがこの第１の周波数バンドから離間するようにデチューニングされている。
【００６１】
さらに具体的には、信号を送信するために、上記の第１のチューナブルＴＸバンドパスフィルタ１０は、上記の第１の周波数バンドにチューニングされ、上記の第１のチューナブルＲＸバンドパスフィルタ９はこのためデチューニングされる。信号を受信するために、上記の第１のチューナブルＲＸバンドパスフィルタ９は、上記の第１の周波数バンドにチューニングされ、上記の第１のチューナブルＴＸバンドパスフィルタ１０はこのためデチューニングされる。
【００６２】
上記の第１および第２のチューナブルデュプレクサ５，６の内の他の１つは、上記のアグリゲーションされた周波数バンドにおける信号用のＲＸフィルタとして利用される。上記で説明した例においては、第２のチューナブルデュプレクサ６が、ＲＸフィルタとして利用される。この場合、この第２のチューナブルデュプレクサ６の第２のチューナブルＲＸバンドパスフィルタ１３は、上記のアグリゲーションされた周波数バンドに対して最適化されており、またこの第２のチューナブルデュプレクサ６の第２のチューナブルＴＸバンドパスフィルタ１５は、デチューニングされる。
【００６３】
しかしながら、第２のチューナブルデュプレクサ６が上記の第１の周波数バンドにおける信号用のＴＤＤデュプレキシングモードにおいて動作し、第１のチューナブルデュプレクサ５がＲＸフィルタとして利用されることも可能である。
【００６４】
例として、上記のインターバンドキャリアアグリゲーションが第１の周波数バンドとしてバンド３９を用い、アグリゲーションされる周波数バンドとしてバンド４１を用いる組合せを考える。この場合、第１のチューナブルＲＸバンドパスフィルタ９および第１のチューナブルＴＸバンドパスフィルタ１０は、信号のＴＸ／ＲＸタイミングに合わせて交替してバンド３９にチューニングされてよく、そして第２のチューナブルＲＸバンドパスフィルタ１３はアグリゲーションされる周波数バンド、すなわちバンド４１にチューニングされてよい。
【００６５】
しかしながら、この例においては、ダイプレクサが上述のダイプレクサと異なるカットオフ周波数で使用されなければならない。具体的には、ダイプレクサは、バンド４１における周波数を有する信号とバンド３９における周波数を有する信号とを分離することができるように選択される。こうしてＴＤＤモードのインターバンドキャリアアグリゲーションを、アグリゲーションされたバンドにおける同時ＲＸでサポートするために、主バンドとアグリゲーションされたバンドとを分離するように構成されたダイプレクサが用いられる。
【００６６】
図２は、チューナブルバンドパスフィルタ９，１０，１３，１５の例を示す。これらのフィルタ９，１０，１３，１５は、インダクタおよびコンデンサから成り、少なくとも１つのインダクタまたはコンデンサは可変である。具体的には、これらのフィルタ９，１０，１３，１５は、主経路１７を備え、この主経路１７に沿ってカップリングされた複数のＬＣ共振器１８が配設されている。さらにそれぞれの２つのＬＣ共振器１８の間には１つのカップリングコンデンサが配設されている。さらに、これらのフィルタ９，１０，１３，１５は、主経路１７に平行な経路に配設され、これらのフィルタ９，１０，１３，１５をジャンパするカップリングインダクタ２０を備える。
【００６７】
具体的には、各々のＬＣ共振器１８は、１つの可変コンデンサを備える。これらのフィルタ９，１０，１３，１５は、高Ｑ値のインダクタ（Ｑ＞１００）および高Ｑ値のコンデンサ（Ｑ＞１５０）を用いることによって実現された高Ｑ値の共振器を備えている。これらのコンデンサは可変素子で実現されており、またこれらのインダクタは固定値となっている。上記のカップリングコンデンサは、１００より小さい適度なＱ値を有し、またカップリングインダクタについても同様である。このカップリングインダクタ２０は、通過バンドの左右にトランスミッションゼロをもたらす。
【００６８】
図２に示すチューナブルバンドパスフィルタ９，１０，１３，１５は、チューナブルフィルタを実現する単に１つの例である。具体的には、チューナブルフィルタ９，１０，１３，１５を実現するために異なる接続形態が使用されてもよい。さらにカップリンコンデンサ（複数）１９のいくつかまたは全てが可変であってもよい。追加的にまたは代替として、これらのフィルタ９，１０，１３，１５は、チューナブルまたはリコンフィギュラブルな音響素子を用いてよい。
【００６９】
図３は、チューナブルＲＸバンドパスフィルタ９およびチューナブルＴＸバンドパスフィルタ１０が共に図２に示すタイプであり、２つの通過バンドを形成するように接続されている、フロントエンド回路１を示す。
【００７０】
図３に示すフロントエンド回路１は、さらに第１の位相シフタ２１，および第２の位相シフタ２２を備える。第１の位相シフタ２１は、アンテナポート２と第１のチューナブルＲＸバンドパスフィルタ９との間に接続されており、第２の位相シフタ２２は、このアンテナポート２と第１のチューナブルＴＸバンドパスフィルタ１０との間に接続されている。これらの位相シフタ２１，２２は、２つのチューナブルバンドパスフィルタ９，１０を適切にマッチングするために使用されている。これらの位相シフタ２１，２２は、チューナブルあるいはリコンフィギュラブルである必要はない。その代りこれらの位相シフタ２１，２２は固定ネットワークを用いて実現されている。
【００７１】
しかしながら、これらの第１および第２の位相シフタ２１，２２の各々は、フロントエンド回路１において省略可能な適宜に追加される素子である。
【００７２】
図４は、第１のチューナブルデュプレクサ５を備えたフロントエンド回路１を示し、ここでこの第１のチューナブルデュプレクサ５は第１の設定に設定されている。この第１の設定においては、バンドＶＩＩにおけるＦＤＤデュプレキシングが用いられる。こうして第１のチューナブルＴＸバンドパスフィルタ１０は、その通過バンドがバンドＶＩＩのＴＸバンドに対応するようにチューニングされる。さらに第１のチューナブルＲＸバンドパスフィルタ９は、その通過バンドがバンドＶＩＩのＲＸバンドに対応するようにチューニングされる。曲線２３は、第１のＴＸ信号経路１２における減衰量を示す。曲線２４は、第１のＲＸ信号経路１１における減衰量を示す。さらに第１のＴＸ信号経路１２と第１のＲＸ信号経路１１との間の絶縁が図４の曲線２５によって示されている。
【００７３】
図５は、第１のチューナブルデュプレクサ５が、バンド３８におけるＴＤＤデュプレキシングで、ＴＸモードで動作しているフロントエンド回路１に対応した第２の設定となっている場合の、フロントエンド回路１の周波数特性を示す。上述したように、第１のチューナブルＴＸバンドパスフィルタ１０は、対応するＴＸ通過バンドに設定され、第１のチューナブルＲＸバンドパスフィルタ９は、ＴＸとＲＸとの間のカップリングを避けるために、大きくデチューニングされている。同様に、曲線２３は、第１のＴＸ信号経路１２における減衰量を表し、曲線２４は、第１のＲＸ信号経路１１における減衰量を表す。さらに、これらの２つの経路間の絶縁が図５の曲線２５で示されている。
【００７４】
図６は、バンド３８におけるＴＤＤデュプレキシングのＲＸモード用の設定に対応するものを示す。ここで第１のチューナブルＴＸバンドパスフィルタ１０はデチューニングされており、第１のチューナブルＲＸバンドパスフィルタ９は、使用されるＲＸ周波数バンドに対して最適化されている。同様に、曲線２３は、第１のＴＸ信号経路１２における減衰量を表し、曲線２４は、第１のＲＸ信号経路１１における減衰量を表す。さらに、これらの２つの経路１１，１２間の絶縁が図６の曲線２５で示されている。
【００７５】
図７は、フロントエンド回路１の第３の実施形態を示す。図７に示す第３の実施形態は、この第３の実施形態がダイプレクサ４を備えないということで図１に示す第１の実施形態と異なっている。その代わりに、この第３の実施形態は、第１のアンテナ３および、追加的に、第２のアンテナ２６を備える。第１のチューナブルデュプレクサ５は第１のアンテナ３に接続されており、第２のチューナブルデュプレクサ６は第２のアンテナ２６に接続されている。
【符号の説明】
【００７６】
１  ：  フロントエンド回路
２  ：  アンテナポート
３  ：  第１のアンテナ
４  ：  ダイプレクサ
５  ：  第１のチューナブルデュプレクサ
６  ：  第２のチューナブルデュプレクサ
７  ：  ハイパスフィルタ
８  ：  ローパスフィルタ
９  ：  第１のチューナブルＲＸバンドパスフィルタ
１０  ：  第１のチューナブルＴＸバンドパスフィルタ
１１  ：  第１のＲＸ信号経路
１２  ：  第１のＴＸ信号経路
１３  ：  第２のチューナブルＲＸバンドパスフィルタ
１４  ：  第２のＲＸ信号経路
１５  ：  第２のチューナブルＴＸバンドパスフィルタ
１６  ：  第２のＴＸ信号経路
１７  ：  主経路
１８  ：  ＬＣ共振器
１９  ：  カップリングコンデンサ
２０  ：  カップリングインダクタ
２１  ：  第１の位相シフタ
２２  ：  第２の位相シフタ
２３  ：  第１のＴＸ信号経路における減衰量
２４  ：  第１のＲＸ信号経路における減衰量
２５  ：  第１のＴＸ信号経路と第１のＲＸ信号経路の間の絶縁
２６  ：  第２のアンテナ
【図１】
2017503401.tif 000003
【図２】
2017503401.tif 000004
【図３】
2017503401.tif 000005
【図７】
2017503401.tif 000006
【図４】
2017503401.tif 000007
【図５】
2017503401.tif 000008
【図６】
2017503401.tif 000009
【国際調査報告】
2017503401.tif 000010
2017503401.tif 000011
2017503401.tif 000012